(57)【特許請求の範囲】
【請求項１】
スチーム発生装置２１を内蔵したブラシ台部３の外周面上半部に、ブリッスル４を植設したブラシベース５が張設されており、
ブラシベース５のほぼ中央部に複数のスチーム吐出孔６が設けられており、
スチーム発生装置２１は、ブラシ台部３の先端に抜き差し自在に装着される給水タンク２２と、ヒータケース２５内にヒータエレメント２６が封入されたヒータ２３と、給水タンク２２内の水をヒータ２３側へ供給する吸水体２４とを含み、
ヒータ２３が、ブラシ台部３の内部に配されており、
吸水体２４が、ヒータケース２５の前端部に当接しており、
吸水体２４から発散するスチームをヒータケース２５の前端からブラシベース５のスチーム吐出孔６に導き出すために、ブラシベース５で塞がれるブラシ台部３の一部に開口３９を設け、
この開口３９にスチームガイド体４１が装着されており、
スチームガイド体４１は、ブラシ台部３の開口３９の形状に対応する断面逆皿形状に形成されて、その内部にスチーム導出空間Ｔが下方開放状態に形成されており、
スチームガイド体４１の上壁４１ａに、スチームをブラシベース５のスチーム吐出孔６に導いて吐き出す複数のスチーム吐出口４２が設けられており、
スチームガイド体４１の上壁４１ａでブラシベース５のほぼ中央部内面を受け止め支持しており、
前記スチーム導出空間Ｔは、スチームガイド体４１の上壁４１ａの内面を前方上がり傾斜状に形成することにより、ヒータケース２５と吸水体２４とが接触するスチーム発生地点Ｘ寄りの前方で広く、スチーム発生地点Ｘから遠去かる後方へ至るに従って狭くなるように形成されていることを特徴とするスチームヘアーブラシ。
【請求項２】
ヒータ２３はスチーム導出空間Ｔの狭い側に偏倚させて配設してある、請求項１記載のスチームヘアーブラシ。
【発明の詳細な説明】
【０００１】
【産業上の利用分野】
本発明はスチーム発生装置で発生したスチームをブラシ台部から吐き出すスチームヘアーブラシに関する。
【０００２】
【従来の技術】
この種のスチームヘアーブラシは頭髪を軟化してくせ直しをしたり、頭髪に水分を供給し、うるおいを与えていたわりながらブラッシングするときに使用される。このスチームヘアーブラシとしては、例えば、柄部の先端に中空状のブラシ台部を設け、スチーム発生装置はブラシ台部の内部に設け、スチームをブラシ台部のブリッスルどうし間に穿設したスチーム吐出孔から吐き出すようにしたものがある（例えば、実開昭５５−１２１３０１号公報や特公昭６２−４０００４号公報参照）。
【０００３】
【発明が解決しようとする課題】
しかるに、前出の従来例のものでは、不使用時にスチーム吐出孔を有するブラシ台部が外気で冷えており、使用時にスチームがその冷えているブラシ台部の内面に結露して湯滴が生じる。こうした湯滴はスチーム吐出孔に詰まったり、スチーム吐出孔から滴下し頭皮に当たって熱い不快感を与えたり、火傷を負わす原因となる。
【０００４】
本発明の目的は、こうしたスチームヘアーブラシにおいて結露防止対策を講じることによりスチーム吐出孔の詰まり防止や頭皮への湯滴落下防止を図る点にある。
【０００５】
【課題を解決するための手段】
本発明は、図示例のようにヒータ２３を有するスチーム発生装置２１を内蔵したブラシ台部３の外表面上に、ブリッスル４を植設したブラシベース５を張設し、スチーム発生装置２１とブラシベース５との間に、スチーム発生装置２１で発生するスチームをブラシベース５のブリッスル４の根元どうし間に導くスチーム導出空間Ｔを形成しているスチームヘアーブラシにおいて、スチーム導出空間Ｔはスチーム発生装置２１のスチーム発生地点Ｘ寄りに広く、スチーム発生地点Ｘから遠去かるに従って狭く形成していることを特徴とする。
上記ヒータ２３はスチーム導出空間Ｔの狭い側に偏倚させて配設することが好ましい。
【０００６】
【作用】
スチーム導出空間Ｔのスチーム発生地点Ｘ寄りを広く形成しておくと、スチームをスチーム発生地点Ｘから遠去かる箇所へも送り易くなり当該箇所でのスチーム吐出量をスチーム発生地点Ｘ寄りの吐出量と同じようにすることができる。
スチーム導出空間Ｔのスチーム発生地点Ｘから遠去かる箇所を狭くしておくと、該スチーム導出空間Ｔ内の容積が徐徐に小さくなるため、内部圧力が徐徐に増加して、この狭い側でのスチームの滞留量をできるだけ少なくできてスチーム吐出を素早く行うことができ、結露発生を防止できる。
【０００７】
【実施例】
本発明に係るスチームヘアーブラシの一実施例を図面に基づき説明する。
図２および図３において、このヘアーブラシはプラスチック製の上下の分割ケース１ａ・１ｂを突き合わせてなる本体ケース１に細長い中空状の柄部２と、該柄部２の先端に一体に連設した中空状のブラシ台部３とを形成している。ブラシ台部３の外周面上半部にはブリッスル４を備えたブラシベース５を取付ける。
図４において、ブラシベース５は耐熱性、耐候性、撥水性に優れるシリコンゴム等の弾性材料からなり、そのほぼ中央部にスチーム吐出孔６を数個（図示例では４個）を設け、スチーム吐出孔６の周辺に多数の孔７を前後左右に所定ピッチで列設し、各孔７に別体にプラスチック成形されたブリッスル４の基部に設けた上下の鍔１０・１１間のくびれ部４ａを通すことによりブリッスル４が前後左右に所定ピッチで上下方向に抜け止め状に植設されている。
【０００８】
このブラシベース５は断面円弧状に曲げてブラシ台部３のほぼ平坦な外表面上に空間Ｓを形成するよう張設するとともに、その周縁部をブラシ台部３の外表面上に環状のブラシ押え部材１２で押し付けて重合固定する。図６に示すように、ブラシベース５の周縁部はその全周にわたって小さい孔１３を有し、この孔１３にブラシ押え部材１２の内面に設けた爪１４を挿入係合させる。
ブラシ押え部材１２は係合爪１５およびねじボス１６を有し、この係合爪１５をブラシ台部３の孔１７に抜止め状に差し込み係合するとともに、ねじボス１６にブラシ台部３の孔１８からねじ１９をねじ込むことによりブラシ台部３にブラシ押え部材１２がブラシベース５を押さえ状態に一体的に結合される（図５参照）。
【０００９】
一方、ブラシ台部３の内部にはスチーム発生装置２１を組み込む。スチーム発生装置２１は、図４および図５に示すように、ブラシ台部３の先端に抜き差し自在に装着する給水タンク２２と、ヒータ２３と、給水タンク２２内の水をヒータ２３側へ供給する吸水体２４とからなる。ヒータ２３は、アルミダイキャストや銅、真鍮などの熱伝導性に優れる材料からなるヒータケース２５内にヒータエレメント２６を封入してなる。ヒータエレメント２６はヒータボビン２６ａにヒータ線２６ｂを巻付けてなり、この周りに絶縁体２７を充填し、シリコン接着剤２８でエンドシールしてなる。ヒータエレメント２６としては、そのほかに、例えば正特性サーミスタを用いることもできる。
【００１０】
このヒータ２３は、図５に示すように、ブラシ台部３の内部にビス２９で取付ける筒状のヒータホルダ３０の内部に配され、底部をシリコン接着剤等により防水密封される。図３に示すように、ヒータ２３のヒータエレメント２６から後方へ導き出されるリード線３１は柄部２の後端に装着した電源コード３２に回路基板３３およびスイッチ３４を介して接続する。図３において、Ｌはスイッチ３４をオンにしてヒータ２３を通電している状態で点灯表示する表示ランプである。
【００１１】
図４において、ヒータホルダ３０の前端の開口部には給水タンク２２の給水筒口２２ａが挿入されるとともに、給水筒口２２ａにＯリング３５を介して抜き差し自在に挿入した吸水体ホルダ３６がパッキン体３７を介して挿入される。吸水体ホルダ３６には耐熱ナイロン等からなる吸水体２４を挿通保持し、この吸水体２４の吸水体ホルダ３６からの露出部はヒータケース２５の前端部に当接させている。したがって、ヒータエレメント２６の発熱により、ヒータケース２５の表面が加熱されて吸水体２４に伝達され、その吸水体２４に含まれている水もしくはトリートメントローション等の薬剤を加熱してスチームを発生する。
【００１２】
吸水体２４から発散するスチームは、ヒータケース２５の前端から側面にかけて形成したスチームガイド溝３８を通ってヒータホルダ３０の内部へ導入され、ヒータホルダ３０の内部からブラシベース５のスチーム吐出孔６にまで導いて吐き出す。そのために、図４および図５に示すように、ブラシベース５で覆われるブラシ台部３のほぼ平坦な外表面一部に開口３９を、またヒータホルダ３０の周壁の前記開口３９に面する部分に開口４０をそれぞれ設け、これら開口３９・４０に、スチームをブラシベース５のスチーム吐出孔６に導いて吐き出すスチームガイド体４１を装着する。図５において、ヒータケース２５のスチーム吐出側寄りにはヒータ２３の回路に結線されるサーミスタや熱電対等からなる温度センサ５１が配され、ヒータ２３を所定温度、例えばトリートメントローションのスチームを発生させる場合１７９〜１８０℃に制御する。また過熱による部材焼損事故防止のために温度ヒューズ等の安全素子５３をヒータホルダ３０の外表面上に設けた凹溝５２に配置している。
【００１３】
スチームガイド体４１は耐熱性、耐薬品性、剛性に優れるＰＢＴ樹脂（ポリブチレンテレフタレート）等の材料からなり、ブラシ台部３の開口３９の四角形状に対応する断面逆皿形状に形成されてその内部にスチーム導出空間Ｔを下方開放状態に形成しており、その上壁４１ａから前後４個のスチーム吐出口４２を上向きに突設するとともに、その周壁下端からフランジ４３を外向きに張出し形成している。
【００１４】
このスチームガイド体４１は、図１および図５に示すようにそのスチーム吐出口４２をブラシベース５のスチーム吐出孔６に内嵌させるとともに、そのフランジ４３をブラシ台部３の開口３９周縁の内面とヒータホルダ３０の開口４０周縁の上面との間にシリコン製のパッキン４４を介して嵌合させることによりブラシ台部３の外表面から上方突出状に固定される。
【００１５】
このスチームガイド体４１はブラシベース５の中央を支持する部材に兼用する。すなわちスチームガイド体４１はスチーム吐出口４２を前述したようにブラシベース５のスチーム吐出孔６に内嵌させるとともに、その上壁４１ａのスチーム吐出口４２・４２どうし間でブラシベース５のほぼ中央部内面を受け止め支持することによりブラシベース５が過剰にへこんだり、位置ずれしたりすることのないようにしている。
図４において、ブラシベース５の内面のスチーム吐出孔６・６間の中央から径大部４６を有する係止突起４７を一体に垂設し、この係止突起４７をスチームガイド体４１のスチーム吐出口４２・４２間の中央に設けた孔４８に径大部４６を介して抜け止め状に圧入させる。この圧入によりブラッシング時にそのブラシベース５の中央部分のブリッスル４が頭髪によって傾く場合もブラシベース５の中央部分がスチームガイド体４１から浮き上がるのを確実に防止する。
【００１６】
上記スチーム導出空間Ｔは、スチームガイド体４１の上壁４１ａの内面を前方上り傾斜状のテーパ面に形成することによりスチーム発生地点Ｘ（ヒータケース２５と吸水体２４との接触部）寄りの前方で最も広く、該スチーム発生地点Ｘから遠去かる後方へ至るに従って漸次狭くなるよう形成する。
このようにスチーム導出空間Ｔのスチーム発生地点Ｘ寄りの前方を広く形成することにより、スチームをスチーム発生地点Ｘから遠去かる後方へも送り易くなり、後方側のスチーム吐出口４２からも前方側のスチーム吐出口４２からの吐出量とほぼ均等に吐出させることができる。
またスチーム発生地点Ｘから遠去かる後方を狭くすることにより容積が減少していくため、スチーム供給により内部圧力が徐徐に増加して行き、この後方側でのスチームの滞留量をできるだけ減少できて当該箇所から素早くスチームを吐出させることができ、結露発生を防止できる。すなわち、スチームの滞留量が多く、また滞留時間が長いとそれだけ外気で冷えている上壁４１ａとの接触時間が長くなって結露しやすいからである。
このようにスチーム導出空間Ｔのスチーム発生地点Ｘから遠去かる後方でのスチーム滞留量の減少、滞留時間の短縮を図ることで結露発生を効果的に防止でき、湯滴がスチーム吐出孔６に詰まったり、頭皮に落下するのを防止でき、また湯滴が柄部２内へ流れて回路基板３３など電気、電子部品に付着するのを防止することもできる。
【００１７】
スチーム導出空間Ｔとヒータ２３との配置関係について、ヒータ２３のヒータエレメント２６はスチーム導出空間Ｔの真下に配置することなくそのスチーム導出空間Ｔの狭い後方側へ偏らせて配置する。また、スチームガイド体４１の上壁４１ａとヒータケース２５との間隔はスチーム発生地点Ｘから遠去かる後方へ行くに従い狭く設定する。これによりスチーム発生地点Ｘから離れたスチーム導出空間Ｔの狭い後方側の上壁４１ａがヒータケース２５の輻射熱でできる限り早く高温となるため、スチーム発生地点Ｘから遠去かる後方での結露発生防止効果をより高めることができる。また結露防止のためにヒータ２３の輻射熱を利用することにより特別に熱源を必要としないことにもなる。
なお、本発明は本体ケース１の内部にブラシベース５部分から温風もしくは冷風を選択的に供給する送風装置を備えたタイプのスチームブラシであってもよい。
【００１８】
【発明の効果】
以上説明したように本発明によれば、スチーム発生装置２１とブラシベース５との間に形成するスチーム導出空間Ｔは、スチーム発生装置２１のスチーム発生地点Ｘ寄りに広く、スチーム発生地点Ｘから遠去かるに従って狭く形成した。したがってスチームをスチーム発生地点Ｘから遠去かる方向にわたって均一に吐出でき、しかもスチーム発生地点Ｘから遠去かる箇所での結露の発生を確実に防止できて頭皮への湯滴落下やスチーム吐出孔６の詰まりを防止でき、さらに電気、電子部品を湯滴から防護できる。
【図面の簡単な説明】
【図１】要部の概略図である。
【図２】全体の平面図である。
【図３】図２におけるＡ−Ａ線断面図である。
【図４】図３における要部の拡大断面図である。
【図５】図３におけるＢ−Ｂ線拡大断面図である。
【図６】主要部の分解斜視図である。
【符号の説明】
１  本体ケース
２  柄部
３  ブラシ台部
４  ブリッスル
５  ブラシベース
２１  スチーム発生装置
２３  ヒータ
Ｔ  スチーム導出空間
Ｘ  スチーム発生地点
【図１】
0003658418.tif 000002
【図２】
0003658418.tif 000003
【図３】
0003658418.tif 000004
【図４】
0003658418.tif 000005
【図５】
0003658418.tif 000006
【図６】
0003658418.tif 000007